【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
撮像手段と、
１回の撮影指示に応じて前記撮像手段での撮像を行って複数の画像を生成するように制御する制御手段と、
前記撮影指示に応じた撮像の後、自動的に行われるレビュー表示として、生成された複数の画像のそれぞれを１枚ずつ順に表示手段に表示し、その後、前記複数の画像を同一画面にマルチ表示するように制御する表示制御手段と
を有することを特徴とする撮像装置。
【請求項２】
前記表示制御手段は、前記レビュー表示において１枚ずつ順に表示手段に表示する際は、前記マルチ表示での各画像の表示サイズよりも大きいサイズで各画像を表示するように制御することを特徴とする請求項１に記載の撮像装置。
【請求項３】
前記表示制御手段は、前記生成された前記複数の画像のそれぞれを１枚ずつ順に表示手段に表示する際、各画像を前記表示手段に全画面表示することを特徴とする請求項１または２に記載の撮像装置。
【請求項４】
前記全画面表示は、画像全体が表示領域に収まる最大のサイズでの画像の表示であることを特徴とする請求項３に記載の撮像装置。
【請求項５】
前記表示制御手段は、前記レビュー表示での前記マルチ表示において、生成された１組の画像のそれぞれを、異なるサイズを含む複数の領域の何れかに収まるように変倍して同一画面にマルチ表示するように制御することを特徴とする請求項１乃至４のいずれか１項に記載の撮像装置。
【請求項６】
少なくとも撮影モードと再生モードとを含む複数の動作モードのいずれかに設定するモード設定手段を更に有し、
前記表示制御手段は、前記再生モードにおいて、前記１組の画像のそれぞれを、それぞれ同じサイズの複数の領域の何れかに収まるように変倍して同一画面にマルチ表示するように制御することを特徴とする請求項５に記載の撮像装置。
【請求項７】
前記表示制御手段は、前記レビュー表示での前記マルチ表示において、生成された１組の画像のそれぞれを、行列に整列されていない複数の領域の何れかに収まるように変倍して同一画面にマルチ表示するように制御することを特徴とする請求項１乃至６の何れか１項に記載の撮像装置。
【請求項８】
少なくとも撮影モードと再生モードとを含む複数の動作モードのいずれかに設定するモード設定手段を更に有し、
前記表示制御手段は、前記再生モードにおいて、前記１組の画像のそれぞれを、行列に整列された複数の領域の何れかに収まるように変倍して同一画面にマルチ表示するように制御することを特徴とする請求項７に記載の撮像装置。
【請求項９】
撮像手段と、
少なくとも撮影モードと再生モードとを含む複数の動作モードのいずれかに設定するモード設定手段と、
前記撮影モードにおいて、１回の撮影指示に応じて前記撮像手段での撮像を行って１組の複数の画像を生成するように制御する制御手段と、
前記撮影指示に応じた撮像の後、自動的に行われるレビュー表示として、生成された１組の画像のそれぞれを、異なるサイズを含む複数の領域の何れかに収まるように変倍して同一画面にマルチ表示するように制御し、
前記再生モードにおいて、前記１組の画像のそれぞれを、それぞれ同じサイズの複数の領域の何れかに収まるように変倍して同一画面にマルチ表示するように制御する表示制御手段と
を有することを特徴とする撮像装置。
【請求項１０】
前記表示制御手段は、前記レビュー表示での前記マルチ表示において、生成された１組の画像のそれぞれを、行列に整列されていない複数の領域の何れかに収まるように変倍して同一画面にマルチ表示するように制御し、
前記再生モードにおいて、前記１組の画像のそれぞれを、行列に整列された複数の領域の何れかに収まるように変倍して同一画面にマルチ表示するように制御することを特徴とする請求項９に記載の撮像装置。
【請求項１１】
撮像手段と、
少なくとも撮影モードと再生モードとを含む複数の動作モードのいずれかに設定するモード設定手段と、
前記撮影モードにおいて、１回の撮影指示に応じて前記撮像手段での撮像を行って１組の複数の画像を生成するように制御する制御手段と、
前記撮影指示に応じた撮像の後、自動的に行われるレビュー表示として、生成された１組の画像のそれぞれを、行列に整列されていない複数の領域の何れかに収まるように変倍して同一画面にマルチ表示するように制御し、
前記再生モードにおいて、前記１組の画像のそれぞれを、行列に整列された複数の領域の何れかに収まるように変倍して同一画面にマルチ表示するように制御する表示制御手段と
を有することを特徴とする撮像装置。
【請求項１２】
前記表示制御手段は、前記レビュー表示において、前記撮影指示に応じた撮像の後、自動的に、生成された複数の画像のそれぞれを１枚ずつ順に表示手段に表示し、その後、前記複数の画像を同一画面にマルチ表示するように制御することを特徴とする請求項８乃至１１の何れか１項に記載の撮像装置。
【請求項１３】
前記１組の複数の画像のそれぞれを評価する評価手段をさらに有し、
前記表示制御手段は、前記レビュー表示においては、前記評価手段での評価に基づいたレイアウトで前記生成された１組の複数の画像を表示し、前記再生モードにおいては、前記評価手段での評価には関わらないレイアウトで前記生成された１組の複数の画像を表示することを特徴とする請求項７乃至１２のいずれか１項に記載の撮像装置。
【請求項１４】
前記評価手段は、画像における被写体の構図と、画像のコントラストとのうち少なくとも一方を含む評価基準で評価を行うことを特徴とする請求項１３に記載の撮像装置。
【請求項１５】
前記評価手段は、評価に基づいて、前記生成された１組の複数の画像のそれぞれの優先順位を決定し、
前記表示制御手段は、前記レビュー表示において、前記評価手段で決定された優先順位の基づいて、前記生成された１組の複数の画像の各画像を前記複数の領域に割り当てて表示するように制御することを特徴とする請求項１３または１４に記載の撮像装置。
【請求項１６】
前記表示制御手段は、前記マルチ表示での前記レビュー表示を、所定時間が経過したことに応じて終了するように制御することを特徴とする請求項１乃至１５の何れか１項に記載の撮像装置。
【請求項１７】
前記所定時間は、前記マルチ表示の開始からの時間であることを特徴とする請求項１６に記載の撮像装置。
【請求項１８】
前記表示制御手段は、前記マルチ表示を行っている際に所定のユーザー操作があると、前記所定時間を経過しても前記マルチ表示を終了しないことを特徴とする請求項１６または１７に記載の撮像装置。
【請求項１９】
前記表示制御手段は、前記レビュー表示での前記マルチ表示で表示された複数の画像のうちユーザーに選択された１枚の画像を前記マルチ表示でのサイズよりも拡大して前記表示手段に表示するように制御し、
該１枚の画像が表示された状態となると、表示された画像に対する処理を指示するユーザー操作を受け付けることを特徴とする請求項１乃至１８の何れか１項に記載の撮像装置。
【請求項２０】
前記表示制御手段は、前記レビュー表示での前記マルチ表示で選択された画像を前記表示手段に１枚表示した状態で、ユーザー操作に応じて、表示されている画像を前記１回の撮影指示で生成された画像以外に切り替えることなく、該１回の撮影指示で生成された画像のいずれかに切り替えるように制御することを特徴とする請求項１９に記載の撮像装置。
【請求項２１】
前記表示制御手段は、前記レビュー表示での前記マルチ表示で表示された何れかの画像が削除された後のレビュー表示でのマルチ表示において、削除された画像以外の画像の表示位置とサイズを削除前から変更しないことを特徴とする請求項１乃至２０の何れか１項に記載の撮像装置。
【請求項２２】
前記制御手段は、前記１回の撮影指示に応じて、撮影されている画像の解析結果に基づいて選択される、露出ブラケット撮影とフォーカスブラケット撮影を含む複数の撮影方法のうち少なくとも１つの撮影方法で複数回の撮影を行うように制御することを特徴とする請求項１乃至２１の何れか１項に記載の撮像装置。
【請求項２３】
前記制御手段は、前記１回の撮影指示に応じて撮影された画像にそれぞれ異なる画像処理を施して複数の画像を生成するように制御することを特徴とする請求項１乃至２２のいずれか１項に記載の撮像装置。
【請求項２４】
前記画像処理には、色処理、トリミング処理の少なくとも一方を含むことを特徴とする請求項２３に記載の撮像装置。
【請求項２５】
前記制御手段によって１回の撮影指示に応じて前記撮像手段での撮像を行って複数の画像を生成する特定の撮影モードを含む、複数の撮影モードのうちの何れかに切り替える撮影モード切替手段を有し、
前記表示制御手段は、前記特定の撮影モードにおいて、画像を記録する記録媒体の残容量に基づいて、前記撮影指示を行うことができる残り撮影指示可能回数をスルー画像とともに表示するように制御することを特徴とする請求項１乃至２４の何れか１項に記載の撮像装置。
【請求項２６】
前記表示制御手段は、再生モードにおける画像送り操作に応じて、前記１回の撮影指示に応じて生成された複数の画像よりなるグループを含む何れかのグループの画像はグループ単位で代表画像を用いて画像送りを行うように制御し、
前記グループの代表画像が表示された状態で、該グループに属する各画像を表示させる指示があった場合、該グループの代表画像の表示から、該グループに属する複数の画像を同一画面に表示するマルチ表示に切り替えるように制御し、
再生モードでの前記マルチ表示のうちユーザーに選択された１枚の画像を前記マルチ表示でのサイズよりも拡大して前記表示手段に表示するように制御し、
再生モードでの前記マルチ表示で選択された画像を前記表示手段に１枚表示した状態で、ユーザー操作に応じて、表示されている画像を前記グループに属する画像以外に切り替えることなく、該グループに属する画像のいずれかに切り替えるように制御することを特徴とする請求項１乃至２５の何れか１項に記載の撮像装置。
【請求項２７】
撮像ステップと、
１回の撮影指示に応じて前記撮像ステップでの撮像を行って複数の画像を生成するように制御する制御ステップと、
前記撮影指示に応じた撮像の後、自動的に行われるレビュー表示として、生成された複数の画像のそれぞれを１枚ずつ順に表示手段に表示し、その後、前記複数の画像を同一画面にマルチ表示するように制御する表示制御ステップと
を有することを特徴とする撮像装置の制御方法。
【請求項２８】
撮像ステップと、
少なくとも撮影モードと再生モードとを含む複数の動作モードのいずれかに設定するモード設定ステップと、
前記撮影モードにおいて、１回の撮影指示に応じて前記撮像ステップでの撮像を行って１組の複数の画像を生成するように制御する制御ステップと、
前記撮影指示に応じた撮像の後、自動的に行われるレビュー表示として、生成された１組の画像のそれぞれを、異なるサイズを含む複数の領域の何れかに収まるように変倍して同一画面にマルチ表示するように制御し、
前記再生モードにおいて、前記１組の画像のそれぞれを、それぞれ同じサイズの複数の領域の何れかに収まるように変倍して同一画面にマルチ表示するように制御する表示制御ステップと
を有することを特徴とする撮像装置の制御方法。
【請求項２９】
撮像ステップと、
少なくとも撮影モードと再生モードとを含む複数の動作モードのいずれかに設定するモード設定ステップと、
前記撮影モードにおいて、１回の撮影指示に応じて前記撮像ステップでの撮像を行って１組の複数の画像を生成するように制御する制御ステップと、
前記撮影指示に応じた撮像の後、自動的に行われるレビュー表示として、生成された１組の画像のそれぞれを、行列に整列されていない複数の領域の何れかに収まるように変倍して同一画面にマルチ表示するように制御し、
前記再生モードにおいて、前記１組の画像のそれぞれを、行列に整列された複数の領域の何れかに収まるように変倍して同一画面にマルチ表示するように制御する表示制御ステップと
を有することを特徴とする撮像装置の制御方法。
【請求項３０】
コンピュータを、請求項１乃至２６のいずれか１項に記載された撮像装置の各手段として機能させるためのプログラム。
【請求項３１】
コンピュータを、請求項１乃至２６のいずれか１項に記載された撮像装置の各手段として機能させるためのプログラムを格納したコンピュータが読み取り可能な記憶媒体。